(57)【要約】【課題】小型化および価格を低下させることができる点灯装置を提供する。【解決手段】交流電圧Ｖａｃを整流する全波整流回路１と、全波整流回路１が出力する整流電圧Ｖｄｂを入力として直流電圧Ｖｄｃ１を生成する力率改善回路２と、整流電圧Ｖｄｂを平滑して直流電圧Ｖｄｃ４を生成するコンデンサＣ４と、直流電圧Ｖｄｃ１を入力電源とし、発光ダイオードＬＤ１からなる第１の光源部５に点灯電力を供給する第１の点灯電力供給部３と、直流電圧Ｖｄｃ４を入力電源とし、発光ダイオードＬＤ１からなる第２の光源部６に点灯電力を供給する第２の点灯電力供給部４とを備え、第２の点灯電力供給部４が出力する直流電圧Ｖｄｃ３は、第１の点灯電力供給部３が出力する直流電圧Ｖｄｃ３よりも小さい。【選択図】図１
2013254602.tif 000002
【特許請求の範囲】
【請求項１】
交流電圧を整流する整流回路と、
前記整流回路が出力する整流電圧を入力として第１の直流電圧を生成する力率改善回路と、
前記整流電圧を平滑して第２の直流電圧を生成するコンデンサと、
前記第１の直流電圧を入力電源とし、１乃至複数の発光素子からなる第１の光源部に点灯電力を供給する１乃至複数の第１の点灯電力供給部と、
前記第２の直流電圧を入力電源とし、１乃至複数の発光素子からなる第２の光源部に点灯電力を供給する１乃至複数の第２の点灯電力供給部とを備え、
前記第２の点灯電力供給部の出力電圧は、前記第１の点灯電力供給部の出力電圧よりも小さいことを特徴とする点灯装置。
【請求項２】
前記第１，第２の点灯電力供給部は、降圧チョッパ回路で構成されることを特徴とする請求項１記載の点灯装置。
【請求項３】
前記第１の点灯電力供給部の各々の出力電力の総和は２５Ｗよりも大きく、前記第２の点灯電力供給部の各々の出力電力の総和は１５Ｗ以下であることを特徴とする請求項１または２記載の点灯装置。
【発明の詳細な説明】
【技術分野】
【０００１】
本発明は、点灯装置に関するものである。
【背景技術】
【０００２】
従来、発光ダイオード（ＬＥＤ）を光源として点灯させる点灯装置がある。また、多数のＬＥＤからなる主光源と、小数のＬＥＤからなり例えば間接光として照射させる補助光源との両光源を点灯させる点灯装置がある（例えば、特許文献１参照）。
【０００３】
図４に、２つの光源部を点灯させる従来の点灯装置の回路構成図を示す。この点灯装置は、全波整流回路１０１と、力率改善回路１０２と、第１の点灯電力供給部１０３と、第２の点灯電力供給部１０４とで構成されている。そして、この点灯装置は、商用電源Ｅ１０１（１００Ｖ，５０Ｈｚ／６０Ｈｚ）を入力電源として、主光源である第１の光源部１０５および、補助光源である第２の光源部１０６に点灯電力を供給する。
【０００４】
全波整流回路１０１は、ダイオードブリッジで構成されており、商用電源Ｅ１０１から供給される交流電圧Ｖａｃを全波整流して整流電圧Ｖｄｂを生成する。
【０００５】
力率改善回路１０２は、インダクタＬ１０１とダイオードＤ１０１とスイッチング素子Ｑ１０１とコンデンサＣ１０１とからなる昇圧チョッパ回路で構成されている。全波整流回路１０１の出力端間に、インダクタＬ１０１とスイッチング素子Ｑ１０１との直列回路が接続され、スイッチング素子Ｑ１０１に対してダイオードＤ１０１とコンデンサＣ１０１との直列回路が並列接続されている。そして、図示しないスイッチ制御部によって、スイッチング素子Ｑ１０１がオン・オフを繰り返すスイッチング制御されることで、コンデンサＣ１０１の両端間に、整流電圧Ｖｄｂを昇圧した直流電圧Ｖｄｃ１１が生成される。また、この力率改善回路１０２によって、商用電源Ｅ１０１からの入力電流の高調波歪みが低減され、力率の低下が抑制される。
【０００６】
第１の点灯電力供給部１０３は、インダクタＬ１０２とダイオードＤ１０２とスイッチング素子Ｑ１０２とコンデンサＣ１０２とからなる降圧チョッパ回路で構成されている。力率改善回路１０２の出力端間に、コンデンサＣ１０２とインダクタＬ１０２とスイッチング素子Ｑ１０２との直列回路が接続され、コンデンサＣ１０２とインダクタＬ１０２との直列回路に対してダイオードＤ１０２が並列接続されている。そして、図示しないスイッチ制御部によって、スイッチング素子Ｑ１０２がオン・オフを繰り返すスイッチング制御されることで、コンデンサＣ１０２の両端間に、直流電圧Ｖｄｃ１１を降圧した直流電圧Ｖｄｃ１２が生成される。
【０００７】
第１の光源部１０５は、複数の発光ダイオードＬＤ１０１が直列接続されることで構成されており、コンデンサＣ１０２に対して並列接続され、直流電圧Ｖｄｃ１２が印加される。また、スイッチング制御部は、第１の光源部１０５に所定の直流電流が供給されるように、スイッチング素子Ｑ１０２をスイッチング制御して直流電圧Ｖｄｃ１２を制御することで、第１の光源部１０５に供給される電流を定電流制御している。そして、第１の光源部１０５は、直流電圧Ｖｄｃ１２が印加され、所定の直流電流が流れることで、各発光ダイオードＬＤ１０１が点灯する。
【０００８】
第２の点灯電力供給部１０４は、インダクタＬ１０３とダイオードＤ１０３とスイッチング素子Ｑ１０３とコンデンサＣ１０３とからなる降圧チョッパ回路で構成されている。力率改善回路１０２の出力端間に、コンデンサＣ１０３とインダクタＬ１０３とスイッチング素子Ｑ１０３との直列回路が接続され、コンデンサＣ１０３とインダクタＬ１０３との直列回路に対してダイオードＤ１０３が並列接続されている。そして、図示しないスイッチ制御部によって、スイッチング素子Ｑ１０３がオン・オフを繰り返すスイッチング制御されることで、コンデンサＣ１０３の両端間に、直流電圧Ｖｄｃ１１を降圧した直流電圧Ｖｄｃ１３が生成される。
【０００９】
第２の光源部１０６は、複数の発光ダイオードＬＤ１０１が直列接続されることで構成されており、コンデンサＣ１０３に対して並列接続され、直流電圧Ｖｄｃ１３が印加される。また、スイッチング制御部は、第２の光源部１０６に所定の直流電流が供給されるように、スイッチング素子Ｑ１０３をスイッチング制御して直流電圧Ｖｄｃ１３を制御することで、第２の光源部１０６に供給される電流を定電流制御している。そして、第２の光源部１０６は、直流電圧Ｖｄｃ１３が印加され、所定の直流電流が流れることで、各発光ダイオードＬＤ１０１が点灯する。
【００１０】
また、第１の光源部１０５は、主光源として用いられるため、第２の光源部１０６よりも多くの発光ダイオードＬＤ１０１で構成されている。したがって、第１の点灯電力供給部１０３が出力する直流電圧Ｖｄｃ１２は、第２の点灯電力供給部１０４が出力する直流電圧Ｖｄｃ１３よりも大きい。なお、本従来例では、直流電圧Ｖｄｃ１２が３００Ｖに設定され、直流電圧Ｖｄｃ１３が２０Ｖに設定されている。
【００１１】
また、第１，第２の点灯電力供給部１０３，１０４が降圧チョッパ回路で構成されているため、力率改善回路１０２が出力する直流電圧Ｖｄｃ１１は、直流電圧Ｖｄｃ１２，Ｖｄｃ１３よりも高く設定する必要がある。なお、本従来例では、力率改善回路１０２が出力する直流電圧Ｖｄｃ１１は、４１０Ｖに設定されている。
【００１２】
このように、本従来例の点灯装置における第１，第２の点灯電力供給部１０３，１０４は、互いに並列接続され力率改善回路１０２を入力電源として、第１，第２の光源部１０５，１０６に点灯電力を供給する。
【先行技術文献】
【特許文献】
【００１３】
【特許文献１】特開２０１１−２２２３６０号公報
【発明の概要】
【発明が解決しようとする課題】
【００１４】
しかし、従来の点灯装置では、第２の点灯電力供給部１０４が出力する直流電圧Ｖｄｃ１３は２０Ｖと低いにもかかわらず、力率改善回路１０２が出力する直流電圧Ｖｄｃ１１（＝４１０Ｖ）を入力電源としている。したがって、第２の点灯電力供給部１０４は、定格電圧（耐圧）が４１０Ｖ以上の部品で構成する必要がある。そのため、第２の点灯電力供給部１０４を構成する部品の形状が大きくなり、さらに価格が高くなるので、点灯装置自体が大型化し価格が高くなるという問題があった。
【００１５】
本発明は、上記事由に鑑みてなされたものであり、その目的は、小型化および価格を低下させることができる点灯装置を提供することにある。
【課題を解決するための手段】
【００１６】
本発明の点灯装置は、交流電圧を整流する整流回路と、前記整流回路が出力する整流電圧を入力として第１の直流電圧を生成する力率改善回路と、前記整流電圧を平滑して第２の直流電圧を生成するコンデンサと、前記第１の直流電圧を入力電源とし、１乃至複数の発光素子からなる第１の光源部に点灯電力を供給する１乃至複数の第１の点灯電力供給部と、前記第２の直流電圧を入力電源とし、１乃至複数の発光素子からなる第２の光源部に点灯電力を供給する１乃至複数の第２の点灯電力供給部とを備え、前記第２の点灯電力供給部の出力電圧は、前記第１の点灯電力供給部の出力電圧よりも小さいことを特徴とする。
【００１７】
この点灯装置において、前記第１，第２の点灯電力供給部は、降圧チョッパ回路で構成されることが好ましい。
【００１８】
この点灯装置において、前記第１の点灯電力供給部の各々の出力電力の総和は２５Ｗよりも大きく、前記第２の点灯電力供給部の各々の出力電力の総和は１５Ｗ以下であることが好ましい。
【発明の効果】
【００１９】
以上説明したように、本発明では、第２の点灯電力供給部を構成する部品の耐圧を下げることができ、小型化および価格を低下させることができるという効果がある。
【図面の簡単な説明】
【００２０】
【図１】本発明の実施形態１の点灯装置の回路構成図である。
【図２】実施形態２の点灯装置の回路構成図である。
【図３】（ａ）〜（ｃ）入力電流波形を示す波形図である。
【図４】従来の点灯装置の回路構成図である。
【発明を実施するための形態】
【００２１】
以下、本発明の実施の形態を図面に基づいて説明する。
【００２２】
（実施形態１）
図１に本実施形態の点灯装置の回路構成図を示す。本実施形態の点灯装置は、全波整流回路１と、力率改善回路２と、第１の点灯電力供給部３と、第２の点灯電力供給部４と、コンデンサＣ４とで構成されている。そして、本実施形態の点灯装置は、商用電源Ｅ１（１００Ｖ，５０／６０Ｈｚ）を入力電源として、多数の発光ダイオードＬＤ１からなり主光源として用いられる第１の光源部５と、小数の発光ダイオードＬＤ１からなり例えば間接光として照射させる補助光源として用いられる第２の光源部６とに点灯電力を供給する。
【００２３】
全波整流回路１（整流回路）は、ダイオードブリッジで構成されており、商用電源Ｅ１から供給される交流電圧Ｖａｃを全波整流して整流電圧Ｖｄｂを生成する。
【００２４】
力率改善回路２は、インダクタＬ１とダイオードＤ１とスイッチング素子Ｑ１とコンデンサＣ１とからなる昇圧チョッパ回路で構成されている。全波整流回路１の出力端間に、インダクタＬ１とスイッチング素子Ｑ１との直列回路が接続され、スイッチング素子Ｑ１に対してダイオードＤ１とコンデンサＣ１との直列回路が並列接続されている。そして、図示しないスイッチ制御部によって、スイッチング素子Ｑ１がオン・オフを繰り返すスイッチング制御されることで、コンデンサＣ１の両端間に整流電圧Ｖｄｂを昇圧した直流電圧Ｖｄｃ１（第１の直流電圧）が生成される。また、この力率改善回路１０２によって、商用電源Ｅ１からの入力電流の高調波歪みが低減され、力率の低下が抑制される。
【００２５】
第１の点灯電力供給部３は、インダクタＬ２とダイオードＤ２とスイッチング素子Ｑ２とコンデンサＣ２とからなる降圧チョッパ回路で構成されている。力率改善回路２の出力端間に、コンデンサＣ２とインダクタＬ２とスイッチング素子Ｑ２との直列回路が接続され、コンデンサＣ２とインダクタＬ２との直列回路に対してダイオードＤ２が並列接続されている。そして、図示しないスイッチ制御部によって、スイッチング素子Ｑ２がオン・オフを繰り返すスイッチング制御されることで、コンデンサＣ２の両端間に、直流電圧Ｖｄｃ１を降圧した直流電圧Ｖｄｃ２が生成される。
【００２６】
第１の光源部５は、複数の発光ダイオードＬＤ１（発光素子）が直列接続されることで構成されており、コンデンサＣ２に対して並列接続され、直流電圧Ｖｄｃ２が印加される。また、スイッチング制御部は、第１の光源部５に所定の直流電流が供給されるように、スイッチング素子Ｑ２をスイッチング制御して直流電圧Ｖｄｃ２を制御することで、第１の光源部５に供給される電流を定電流制御している。そして、第１の光源部５は、直流電圧Ｖｄｃ２が印加され、所定の直流電流が流れることで、各発光ダイオードＬＤ１が点灯する。なお、本実施形態の第１の光源部５は、複数個の発光ダイオードＬＤ１で構成されているが、単数の発光ダイオードで構成されていてもよい。
【００２７】
コンデンサＣ４は、全波整流回路１の出力端間に接続（力率改善回路２と並列接続）されており、整流電圧Ｖｄｂを平滑した直流電圧Ｖｄｃ４（第２の直流電圧）を生成する。すなわち、全波整流回路１とコンデンサＣ４とで、コンデンサインプット型の整流平滑回路を構成している。
【００２８】
第２の点灯電力供給部４は、インダクタＬ３とダイオードＤ３とスイッチング素子Ｑ３とコンデンサＣ３とからなる降圧チョッパ回路で構成されている。コンデンサＣ３とインダクタＬ３とスイッチング素子Ｑ３との直列回路がコンデンサＣ４に対して並列接続され、コンデンサＣ３とインダクタＬ３との直列回路に対してダイオードＤ３が並列接続されている。そして、図示しないスイッチ制御部によって、スイッチング素子Ｑ３がオン・オフを繰り返すスイッチング制御されることで、コンデンサＣ３の両端間に、直流電圧Ｖｄｃ４を降圧した直流電圧Ｖｄｃ３が生成される。
【００２９】
第２の光源部６は、複数の発光ダイオードＬＤ１が直列接続されることで構成されており、コンデンサＣ３に対して並列接続され、直流電圧Ｖｄｃ３が印加される。また、スイッチング制御部は、第２の光源部６に所定の直流電流が供給されるように、スイッチング素子Ｑ３をスイッチング制御して直流電圧Ｖｄｃ３を制御することで、第２の光源部６に供給される電流を定電流制御している。そして、第２の光源部６は、直流電圧Ｖｄｃ３が印加され、所定の直流電流が流れることで、各発光ダイオードＬＤ１が点灯する。なお、本実施形態の第１の光源部６は、複数個の発光ダイオードＬＤ１で構成されているが、単数の発光ダイオードで構成されていてもよい。
【００３０】
また、第１の光源部５は、主光源として用いられるため、第２の光源部６よりも多くの発光ダイオードＬＤ１で構成されている。したがって、第１の点灯電力供給部３が出力する直流電圧Ｖｄｃ２は、第２の点灯電力供給部４が出力する直流電圧Ｖｄｃ３よりも大きい。なお、本実施形態では、直流電圧Ｖｄｃ２が３００Ｖに設定され、直流電圧Ｖｄｃ３が２０Ｖに設定されている。
【００３１】
また、第１の点灯電力供給部３が降圧チョッパ回路で構成されているため、力率改善回路２が出力する直流電圧Ｖｄｃ１は、直流電圧Ｖｄｃ２（＝３００Ｖ）よりも高く設定する必要がある。そのため、本実施形態では、発光ダイオードＬＤ１の順方向電圧のバラツキ等を考慮し、力率改善回路２が出力する直流電圧Ｖｄｃ１を４１０Ｖに設定されている。また、第２の点灯電力供給部４が出力する直流電圧Ｖｄｃ３（＝２０Ｖ）は、整流電圧Ｖｄｂを平滑した直流電圧Ｖｄｃ４（＝約１４１Ｖ）よりも十分に低く、第２の点灯電力供給部４は直流電圧Ｖｄｃ４を降圧して直流電圧Ｖｄｃ３を生成することができる。
【００３２】
このように、本実施形態の点灯装置は、第１の点灯電力供給部３は、力率改善回路２が出力する直流電圧Ｖｄｃ１を入力電源として第１の光源部５に点灯電力を供給している。また、第２の点灯電力供給部４は、コンデンサＣ４が出力する直流電圧Ｖｄｃ４を入力電源として第２の光源部６に点灯電力を供給している。
【００３３】
第１の点灯電力供給部３は、直流電圧Ｖｄｃ１を入力電源としているため、定格電圧（耐圧）が４１０Ｖ以上の部品を用いて構成する必要がある。しかし、第２の点灯電力供給部４は、直流電圧Ｖｄｃ１よりも低い直流電圧Ｖｄｃ４を入力電源としているため、直流電圧Ｖｄｃ１を入力電源とする場合に比べて、定格電圧（耐圧）が低い例えば２５０Ｖの部品を用いて構成することができる。
【００３４】
すなわち、出力電圧が低い第２の点灯電力供給部４の入力電源に、出力電圧が低いコンデンサＣ４を用いることによって、第２の点灯電力供給部４を構成する部品の小型化および価格を低下をさせることができ、点灯装置自体の小型化および価格低下を実現することができる。
【００３５】
（実施形態２）
本実施形態の点灯装置の回路構成図を図２に示す。なお、実施形態１と同様の構成には、同一符号を付して説明を省略する。
【００３６】
本実施形態の点灯装置は、２つの第１の点灯電力供給部３ａ，３ｂと、２つの第２の点灯電力供給部４ａ，４ｂとを備え、第１の光源部５ａ，５ｂおよび第２の光源部６ａ，６ｂに点灯電力を供給する。なお、第１の点灯電力供給部３ａ，３ｂは、実施形態１の第１の点灯電力供給部３と同一構成であり、符号の末尾にａまたはｂを付して構成の説明を省略する。また、第２の点灯電力供給部４ａ，４ｂは、実施形態１の第２の点灯電力供給部４と同一構成であり、符号の末尾にａまたはｂを付して構成の説明を省略する。
【００３７】
第１の点灯電力供給部３ａは、力率改善回路２が出力する直流電圧Ｖｄｃ１（＝４１０Ｖ）を入力電源として直流電圧Ｖｄｃ２ａを生成し、第１の光源部５ａに印加することで第１の光源部５ａを点灯させる。なお、本実施形態では、第１の点灯電力供給部３ａが出力する直流電圧Ｖｄｃ２ａは２５０Ｖ、第１の光源部５ａに供給する直流電流は３５０ｍＡに設定されており、第１の点灯電力供給部３ａの出力電力は８８Ｗとなる。
【００３８】
また、第１の点灯電力供給部３ｂは、力率改善回路２が出力する直流電圧Ｖｄｃ１（＝４１０Ｖ）を入力電源として直流電圧Ｖｄｃ２ｂを生成し、第１の光源部５ｂに印加することで第１の光源部５ｂを点灯させる。なお、本実施形態では、第１の点灯電力供給部３ｂが出力する直流電圧Ｖｄｃ２ｂは２５０Ｖ、第１の光源部５ｂに供給する直流電流は３５０ｍＡに設定されており、第１の点灯電力供給部３ｂの出力電力は８８Ｗとなる。
【００３９】
第２の点灯電力供給部４ａは、コンデンサＣ４が出力する直流電圧Ｖｄｃ４（＝１４１Ｖ）を入力電源として直流電圧Ｖｄｃ３ａを生成し、第２の光源部６ａに印加することで第２の光源部６ａを点灯させる。なお、本実施形態では、第２の点灯電力供給部４ａが出力する直流電圧Ｖｄｃ３ａは２６Ｖ、第２の光源部６ａに供給する直流電流は３５０ｍＡに設定されており、第２の点灯電力供給部４ａの出力電力は９Ｗとなる。
【００４０】
また、第２の点灯電力供給部４ｂは、コンデンサＣ４が出力する直流電圧Ｖｄｃ４（＝１４１Ｖ）を入力電源として直流電圧Ｖｄｃ３ｂを生成し、第２の光源部６ｂに印加することで第２の光源部６ｂを点灯させる。なお、本実施形態では、第２の点灯電力供給部４ｂが出力する直流電圧Ｖｄｃ３ａは１７Ｖ、第２の光源部６ｂに供給する直流電流は３５０ｍＡに設定されており、第２の点灯電力供給部４ｂの出力電力は６Ｗとなる。
【００４１】
実施形態１と同様に、第２の点灯電力供給部４ａ，４ｂは、力率改善回路２が出力する直流電圧Ｖｄｃ１ではなく、コンデンサＣ４が出力する直流電圧Ｖｄｃ４を入力電源としている。したがって、第２の点灯電力供給部４ａ，４ｂを定格電圧（耐圧）が低い部品を用いて構成することができるので、部品の小型化および価格を低下させることができるので、点灯装置自体の小型化および価格低下を実現することができる。
【００４２】
また、本実施形態の点灯装置は、第１の点灯電力供給部３ａ，３ｂの出力電力の総和（８８Ｗ＋８８Ｗ＝１７６Ｗ）が２５Ｗを超えており、商用電源Ｅ１からの入力電流の高調波がＩＥＣ（国際電気標準会議）で規定されたクラスＣの基準を満足する必要がある（ＩＥＣ６１０００−３−２参照）。
【００４３】
図４（ａ）に第１の光源部５ａ，５ｂを点灯させ、第２の光源部６ａ，６ｂを消灯している場合における入力電流の波形図を示す。また、図４（ｂ）に第２の光源部６ａ，６ｂを点灯させ、第１の光源部５ａ，５ｂを消灯している場合における入力電流の波形図を示す。また、図４（ｃ）に第１の光源部５ａ，５ｂおよび第２の光源部６ａ，６ｂを点灯させた場合における入力電流の波形図を示す。
【００４４】
第１の光源部５ａ，５ｂに点灯電力を供給する第１の点灯電力供給部３ａ，３ｂは、力率改善回路２を入力電源としている。そのため、第１の光源部５ａ，５ｂを点灯させ、第２の光源部６ａ，６ｂを消灯している場合、力率が改善され高調波歪みが低減されている（図４（ａ）参照）。
【００４５】
第２の光源部６ａ，６ｂに点灯電力を供給する第２の点灯電力供給部４ａ，４ｂは、全波整流回路１とコンデンサＣ４からなるコンデンサインプット型の整流回路を入力電源としている。そのため、第２の光源部６ａ，６ｂを点灯させ、第１の光源部５ａ，５ｂを消灯している場合、図４（ｂ）に示すように、入力電流（周期Ｔ１とする）の極性反転時（時間ｔ０，ｔ１０）から所定時間経過後の時間ｔ１，ｔ１１において、コンデンサＣ４への突入電流が発生する。
【００４６】
しかし、第１の光源部５ａ，５ｂおよび第２の光源部６ａ，６ｂの全てを点灯させた場合における入力電流波形は、図４（ｃ）に示すように図４（ａ）（ｂ）に示す入力電流波形が合成された波形となる。本実施形態では、第１の点灯電力供給部３ａ，３ｂの出力電力の総和（８８Ｗ＋８８Ｗ＝１７６Ｗ）は、第２の点灯電力供給部４ａ，４ｂの出力電力の総和（９Ｗ＋６Ｗ＝１５Ｗ）よりも十分大きく設定されている。そのため、入力電流に対する突入電流の割合が小さく、第１の光源部５ａ，５ｂおよび第２の光源部６ａ，６ｂの全てを点灯させた場合における入力電流の高調波が、ＩＥＣで規定されたクラスＣの基準を満足することができる。なお、第１の点灯電力供給部３ａ，３ｂの各出力電力の総和が２５Ｗより大きく、第２の点灯電力供給部４ａ，４ｂの各出力電力の総和が１５Ｗ以下である場合、入力電流の高調波がＩＥＣで規定されたクラスＣの基準を満足することができる。
【符号の説明】
【００４７】
１  全波整流回路（整流回路）
２  力率改善回路
３  第１の点灯電力供給部
４  第２の点灯電力供給部
５  第１の光源部
６  第２の光源部
Ｃ４  コンデンサ
ＬＤ１  発光ダイオード（発光素子）
【図１】
2013254602.tif 000003
【図２】
2013254602.tif 000004
【図３】
2013254602.tif 000005
【図４】
2013254602.tif 000006